(57)【要約】【課題】半リング部分の閉鎖位置での、基板の固定及びその解除の操作を容易かつ確実に行うことのできるルーズリーフ綴具を提供する。【解決手段】基板２ａ、２ｂの表面に、対をなす半リング部分３ａ、３ｂの閉鎖位置で基板２ａ、２ｂの回動変位を拘束する一箇所以上のプレートロック手段７を設け、該プレートロック手段７を、一方の基板２ａの表面から他方の基板２ｂ側に延びるとともに該基板２ａ、２ｂの長手方向に向けて折れ曲がる屈曲アーム部分８と、他方の基板２ｂの表面に周辺領域より隆起させて形成されて、屈曲アーム部分８の折れ曲がり端部８ａが一方の基板２ａ側からのみ乗り越え可能なアーム留め部分９とで構成してなる。【選択図】図３
2015030225.tif 000002
【特許請求の範囲】
【請求項１】
隣り合わせに配置されて互いに平行に延びる二枚の基板と、それらの基板のそれぞれに一体に形成され、該基板の表面側に延びて相互に共同してリング形状をなす複数対の半リング部分と、前記基板の裏面側で該基板の長手方向に対して平行に配置した軸部と、前記基板の裏面側に、前記軸部を取り囲んで各基板と一体に設けられて、該軸部の周りでの各基板の回動変位を可能にする軸受け筒部とを具え、
各基板の、軸部の周りでの回動変位により、複数対の半リング部分を、対をなす該半リング部分のそれぞれの先端部が互いに近接してリング形状を形成する閉鎖位置と、それぞれの先端部が互いに離隔する開放位置との間で移動可能としてなるルーズリーフ綴具であって、
前記基板の表面に、対をなす半リング部分の閉鎖位置で基板の回動変位を拘束する一箇所以上のプレートロック手段を設け、該プレートロック手段を、一方の基板の表面から他方の基板側に延びるとともに該基板の長手方向に向けて折れ曲がる屈曲アーム部分と、他方の基板の表面に周辺領域より隆起させて形成されて、屈曲アーム部分の折れ曲がり端部が一方の基板側からのみ乗り越え可能なアーム留め部分とで構成してなる、ルーズリーフ綴具。
【請求項２】
他方の基板の表面に形成した前記アーム留め部分が、一方の基板側に、前記周辺領域からの隆起高さを一方の基板から離れるに従って漸増させてなるガイド傾斜面を有するものとしてなる、請求項１に記載のルーズリーフ綴具。
【請求項３】
他方の基板表面で前記アーム留め部分の後方側に、アーム留め部分を乗り越えた折れ曲がり端部が嵌り込んで配置される収納スペースを設けてなる、請求項１もしくは２に記載のルーズリーフ綴具。
【請求項４】
基板の長手方向に隣接する前記軸受け筒部の相互間に、それぞれの基板の、長手方向に沿う相対変位を許容する間隙を設け、当該間隙に、二枚の基板の相互を長手方向に沿う向きに付勢する弾性部材を配置し、
前記弾性部材により、二枚の基板の相互を、基板の長手方向に沿う向きで屈曲アーム部分の折れ曲がり端部が前記収納スペースへ入り込む方向に付勢してなる、請求項３に記載のルーズリーフ綴具。
【発明の詳細な説明】
【技術分野】
【０００１】
この発明は、互いに平行な二枚の基板のそれぞれが、それらの裏面側に配置した軸部の周りで回動変位することにより、各基板の表面側に一体形成した複数対の半リング部分を、それらのそれぞれの先端部が互いに近接してリング形状を形成する閉鎖位置と、それぞれの先端部が互いに離隔する開放位置との間で移動可能に構成してなるルーズリーフ綴具に関するものであり、特には、半リング部分の開閉操作を容易なものとし、また、半リング部分を閉鎖位置で確実に固定することのできる技術を提案するものである。
【背景技術】
【０００２】
この種の綴具として従来は、特許文献１に記載されているように、二枚の基板と、それらの基板のそれぞれに一体形成されて、基板の表面側で半円環状に延びる半リング部分と、基板の裏面側に配置されて基板と平行な軸部と、二枚の基板のそれぞれに、前記の軸部を取り囲む態様で設けた軸受け筒部とを具えるものがある。
かかる綴具は、二枚の基板のそれぞれを、前記軸部の周りで回動変位させることにより、該基板の回動変位に伴って、それぞれの基板に一体形成した半リング部分を、それぞれの先端部が互いに離隔する開放位置と、先端部が互いに接近する閉鎖位置との間で移動可能としたものであり、とりわけ、特許文献１に記載されたこの綴具では、それに綴じたルーズリーフ用紙のそれぞれが、閉鎖位置でリング形状を形作る複数対の半リング部分に沿って略３６０°回転することができる。
【０００３】
ところで、特許文献１に記載された綴具では、それぞれの半リング部分の各先端部に、対をなす半リング部分が閉鎖位置に移動した際に相互に引っ掛かる鉤状の「綴杆係止部」を形成し、それらの各「綴杆係止部」により、対をなす半リング部分の相互を閉鎖位置で固定することとしている。
【先行技術文献】
【特許文献】
【０００４】
【特許文献１】特開２０１１−２２４８６９号公報
【発明の概要】
【発明が解決しようとする課題】
【０００５】
しかるに、上記の綴具では、半リング部分を閉鎖位置でロックする際に、それぞれの基板の表面側に半円環状に延びる半リング部分の先端部に形成した「綴杆係止部」だけで、半リング部分を固定するものとし、そして、この「綴杆係止部」は、半リング部分の、使用者が操作する基板から離れて位置する先端部に形成されていることから、たとえば、二枚の基板間の、使用に伴って生じる位置ずれや、基板その他の部材の成形精度のいかん等に起因して、対をなす「綴杆係止部」の相互で引っ掛けることが困難となる場合があり、それ故に、半リング部分の閉鎖位置での固定による、ルーズリーフ用紙の保持を確実に行い得ることの保証がないという問題があった。
【０００６】
この発明は、先に述べた従来技術が抱えるこのような問題を解決することを課題とするものであり、それの目的とするところは、半リング部分の閉鎖位置での、基板の固定及びその解除の操作を容易かつ確実に行うことのできるルーズリーフ綴具を提供することにある。
【課題を解決するための手段】
【０００７】
この発明のルーズリーフ綴具は、隣り合わせに配置されて互いに平行に延びる二枚の基板と、それらの基板のそれぞれに一体に形成され、該基板の表面側に延びて相互に共同してリング形状をなす複数対の半リング部分と、前記基板の裏面側で該基板の長手方向に対して平行に配置した軸部と、前記基板の裏面側に、前記軸部を取り囲んで各基板と一体に設けられて、該軸部の周りでの各基板の回動変位を可能にする軸受け筒部とを具え、
各基板の、軸部の周りでの回動変位により、複数対の半リング部分を、対をなす該半リング部分のそれぞれの先端部が互いに近接してリング形状を形成する閉鎖位置と、それぞれの先端部が互いに離隔する開放位置との間で移動可能としてなるルーズリーフ綴具であって、
前記基板の表面に、対をなす半リング部分の閉鎖位置で基板の回動変位を拘束する一箇所以上のプレートロック手段を設け、該プレートロック手段を、一方の基板の表面から他方の基板側に延びるとともに該基板の長手方向に向けて折れ曲がる屈曲アーム部分と、他方の基板の表面に周辺領域より隆起させて形成されて、屈曲アーム部分の折れ曲がり端部が一方の基板側からのみ乗り越え可能なアーム留め部分とで構成してなるものである。
【０００８】
ここで、このルーズリーフ綴具では、他方の基板の表面に形成した前記アーム留め部分が、一方の基板側に、前記周辺領域からの隆起高さを一方の基板から離れるに従って漸増させてなるガイド傾斜面を有することが好ましい。
【０００９】
またここでは、他方の基板表面で前記アーム留め部分の後方側に、屈曲アーム部分の、アーム留め部分を乗り越えた折れ曲がり端部が嵌り込んで配置される収納スペースを設けることが好ましい。
この場合、基板の長手方向に隣接する前記軸受け筒部の相互間に、それぞれの基板の、長手方向に沿う相対変位を許容する間隙を設けるとともに、当該間隙に、二枚の基板の相互を長手方向に沿う向きに付勢する弾性部材を配置し、それにより、前記弾性部材で、二枚の基板の相互を、基板の長手方向に沿う向きで屈曲アーム部分の折れ曲がり端部が前記収納スペースへ入り込む方向に付勢することが一層好ましい。
【発明の効果】
【００１０】
この発明のルーズリーフ綴具によれば、基板の表面に、対をなす半リング部分の閉鎖位置で基板の回動変位を拘束する一箇所以上のプレートロック手段を設け、そして、かかるプレートロック手段を、先述したような屈曲アーム部分とアーム留め部分とで構成したことにより、対をなす半リング部分を開放位置から閉鎖位置へ移動させるに当って、使用者は、基板を軸部周りに回動変位させるだけで、屈曲アーム部分の折れ曲がり端部が、自身の弾性変形を伴いながらアーム留め部分を乗り越えることになり、それにより、二枚の基板の相互を、半リング部分の閉鎖位置でロックすることができる。なお、基板のロック状態の解除は、二枚の基板を長手方向に相対変位させることで、折れ曲がり端部の乗り越え動作なしに、屈曲アーム部分をアーム留め部分から外すことによって行うことができる。
【００１１】
従って、このルーズリーフ綴具では、一般に半リング部分側ではなく基板側を狭持する使用者が、その基板側に設けたプレートロック手段で、半リング部分の閉鎖位置における基板の固定操作及び、その解除操作を行うことができるので、それらの操作を容易かつ確実に行うことができる。
【００１２】
ここで、他方の基板の表面に形成した前記アーム留め部分が、一方の基板側に、前記周辺領域からの隆起高さを一方の基板から離れるに従って漸増させてなる、平坦面状もしくは曲面状等のガイド傾斜面を有するものとしたときは、半リング部分を閉鎖位置へ移動させるため、基板を回動変位させた際に、屈曲アーム部分の折れ曲がり端部が、アーム留め部分のガイド傾斜面上を滑動し、それにより、ガイド傾斜面に案内される折れ曲がり端部が、アーム留め部分を乗り越え易くなるので、プレートロック手段による基板のロック操作を、より円滑で容易に行うことができる。
【００１３】
ここにおいて、他方の基板表面で前記アーム留め部分の後方側に、屈曲アーム部分の折れ曲がり端部が、アーム留め部分を前方側から乗り越えた後に嵌り込んで配置される収納スペースを設けたときは、半リング部分の閉鎖位置で収納スペースに嵌り込んだ折れ曲がり端部により、二枚の基板を、より安定した姿勢で確実に固定することができる。
【００１４】
このような収納スペースを設けた上で、二枚の基板の相互を長手方向に沿う向きに付勢する弾性部材を、互いに隣接する前記軸受け筒部の相互間の間隙に配置して、該弾性部材により、二枚の基板の相互を、基板の長手方向に沿う向きで屈曲アーム部分の折れ曲がり端部が前記収納スペースへ入り込む方向に付勢させたときは、基板の相互を意図的に相対変位させない限りは、弾性部材の付勢力によって、折れ曲がり端部が収納スペースに配置された状態が確保されることになるので、プレートロック手段をより有効に機能させることができる。
【図面の簡単な説明】
【００１５】
【図１】この発明のルーズリーフ綴具の一の実施形態について示す正面図及び側面図である。
【図２】図１のルーズリーフ綴具を、基板の回動変位に基いて半リング部分が開放位置へ移動するまでの各状態で示す正面図である。
【図３】図１のルーズリーフ綴具に設けたプレートロック手段による基板のロック動作を示す部分拡大斜視図である。
【図４】図１のルーズリーフ綴具に設けたプレートロック手段による基板のロック解除動作を示す部分拡大斜視図である。
【図５】図１のルーズリーフ綴具の、基板表面に設けたプレートロック手段を、基板の相対変位の前後の状態で示す部分拡大平面図である。
【図６】図３（ａ）のＶＩ−ＶＩ線に沿う断面図である。
【図７】図１のルーズリーフ綴具の長手方向の中央部を、半リング部分が開放位置に移動した状態で示す拡大正面図である。
【図８】ルーズリーフ綴具に設けることのできるコイルばねの変形例を示す、図７と同様の図である。
【図９】図８のルーズリーフ綴具に設けたコイルばねを、綴具から取り出して示す正面図および平面図である。
【図１０】図１（ａ）のＸ−Ｘ線に沿う断面図および、半リング部分が開放位置に移動した状態での同様の図である。
【発明を実施するための形態】
【００１６】
以下に図面に示すところに基いて、この発明の実施形態について説明する。
図１（ａ）及び（ｂ）のそれぞれに正面図及び側面図で例示するルーズリーフ綴具１は、隣り合わせに配置されて互いに平行に、図ではいずれも上下方向に延びる長尺平板状の二枚の基板２ａ、２ｂと、それらの基板２ａ、２ｂのそれぞれに一体に形成され、たとえば各基板２ａ、２ｂの外側面から表面Ｆ側に半円環状に延びる複数対の半リング部分３ａ、３ｂと、基板２ａ、２ｂの裏面Ｂ側に配置した、基板２ａ、２ｂと平行に延びる軸部４と、それぞれの基板２ａ、２ｂの裏面Ｂに、軸部４を取り囲む態様で各基板２ａ、２ｂに一体形成されて、たとえば、内部に軸部４が配置される中空円筒状等のそれぞれの軸受け筒部５ａ、５ｂとを具えてなる。
【００１７】
なおここでは、二枚の基板２ａ、２ｂのうち、図１（ａ）の正面図で図の左側に位置するものを一方の基板２ａとするとともに、同図の右側に位置するものを他方の基板２ｂとし、そして、一方の基板２ａ側の半リング部分３ａと、基板２ａ、２ｂの長手方向に直交する同図の左右方向に該半リング部分３ａに隣接して位置する、他方の基板２ｂ側の半リング部分３ｂとを一対として、それらを、基板２ａ、２ｂの長手方向に沿って、所要の間隔をおいて複数対並べて配置している。
また、図示の実施形態では、図１（ｂ）に側面図で示すところから明らかなように、一方の基板２ａに一体形成した複数の軸受け筒部５ａと、他方の基板２ｂに一体形成した複数の軸受け筒部５ｂとのそれぞれを、基板２ａ、２ｂの長手方向に沿って、互い違いに配置している。なお、この綴具１の長手方向の一端部（図１では下端部）及び他端部（図１では上端部）のそれぞれには、使用者の保持に供されるそれぞれの摘み部分２ｃ、２ｄが設けられている。
【００１８】
そしてまた、この綴具１では、たとえば金属材料もしくは樹脂材料等からなる一本の軸部４は、中心軸線が共通となるように同軸に配置した各軸受け筒部５ａ、５ｂの内側を通過して延在するものとし、この軸部４は、一方の基板２ａと他方の基板２ｂとを、それらのそれぞれの軸受け筒部５ａ、５ｂで互いに連結するべく機能する。なお、図示は省略するが、軸部は、基板の長手方向に分割された二本以上とすることもでき、この場合は、たとえば、複数本の軸部のそれぞれを、軸受け筒部５ａ、５ｂのそれぞれに一体形成することも可能である。
【００１９】
かかる綴具１の構成によれば、使用者が、たとえば、摘み部分２ｃ、２ｄを保持してそれらを基板２ａ、２ｂの長手方向の中央部に向けて押すことにより、後述のプレートロック手段によるロックを解除して、単一の軸部４が通過するそれぞれの軸受け筒部５ａ、５ｂと一体をなす各基板２ａ、２ｂを、軸部４の周りで回動変位させることができる。この回動変位に伴い、各基板２ａ、２ｂに設けた半リング部分３ａ、３ｂは、図２（ａ）に示す状態を経て、図２（ｂ）に示すように、対をなす半リング部分３ａ、３ｂのそれぞれの先端部が互いに離隔する開放位置へ移動することになる。またこの状態で、基板２ａ、２ｂを、軸部４の周りで、上述したところとは逆向きに回動変位させることにより、半リング部分３ａ、３ｂは、図１（ａ）に示すような、対をなす半リング部分３ａ、３ｂのそれぞれの先端部が近接するとともに当接してリング形状を形成する閉鎖位置へ移動する。
【００２０】
このように、基板２ａ、２ｂの回動変位によって、半リング部分３ａ、３ｂを開放位置と閉鎖位置との間で移動可能とすることにより、半リング部分３ａ、３ｂの開放位置では、図示しないルーズリーフ用紙の側部に設けられる複数の貫通孔に、半リング部分３ａ、３ｂを先端部から挿入するか、あるいは、貫通孔に半リング部分３ａ、３ｂが挿入されて綴じられたルーズリーフ用紙を、半リング部分３ａ、３ｂから取り外すことで、図示しないルーズリーフ用紙の、綴具１からの着脱が可能となり、また、ルーズリーフ用紙の貫通孔に半リング部分３ａ、３ｂを挿入した状態で、半リング部分３ａ、３ｂを閉鎖位置に移動させた場合は、一枚以上のルーズリーフ用紙を綴じることができる。
【００２１】
なおこの実施形態では、基板２ａ、２ｂの長手方向に隣接する軸受け筒部５ａ、５ｂの相互間に、それぞれの基板２ａ、２ｂの、長手方向に沿う相対変位を許容する間隙Ｇを設け、そして、基板２ａ、２ｂの裏面Ｂ側で、たとえば、互いに隣接する軸受け筒部５ａ、５ｂの相互間の間隙Ｇのうちの一つに、弾性部材６としてのコイルばねを挟み込んで、これを軸部４の中心軸線と同軸に配設している。この構成によれば、弾性部材６により、基板２ａ、２ｂは相互に、その長手方向に沿って、対をなす半リング部分３ａ、３ｂの相互が整列する向きへ付勢されることになり、また、基板２ａ、２ｂが長手方向に相対変位されると、弾性部材６はその軸線方向に圧縮変形されることになる。
【００２２】
ここにおいて、この発明では、基板２ａ、２ｂの表面Ｆ側で、長手方向に隣接する半リング部分３ａ、３ｂの相互間に、半リング部分３ａ、３ｂの閉鎖位置で基板の回動変位を拘束する一箇所以上のプレートロック手段７を設け、それにより、その閉鎖位置で基板２ａ、２ｂを固定して、対をなす半リング部分３ａ、３ｂが閉鎖位置で形成するリング形状を維持させ、先述したルーズリーフ用紙の保持を可能とする。
【００２３】
より詳細には、上記のプレートロック手段７は、図３に拡大斜視図で示すように、一方の基板２ａに設けられ、該基板２ａの表面Ｆから他方の基板２ｂ側に延びるとともに、その延在途中で基板２ａ、２ｂの長手方向の一方側に向けて折れ曲がる折れ曲がり端部８ａを有する屈曲アーム部分８と、他方の基板２ｂの表面Ｆで前記屈曲アーム部分８の配設位置と対応する位置に、周辺領域よりも隆起させて形成したアーム留め部分９とで構成する。なお、それらの屈曲アーム部分８およびアーム留め部分９のそれぞれは、射出成形等によって各基板２ａ、２ｂと一体に形成することが製造能率の向上との観点から好ましいが、基板２ａ、２ｂとは別個の部品として形成して各基板２ａ、２ｂに固定ないし固着によって事後的に取り付けることもできる。
【００２４】
このようなプレートロック手段７の配設によれば、半リング部分３ａ、３ｂを開放位置から閉鎖位置へ移動させるべく、基板２ａ、２ｂを回動変位させると、図３（ａ）に示すように、屈曲アーム部分８の折れ曲がり端部８ａが、自身の、基板表面から離隔する方向（図では上方）への若干の弾性変形を伴って、アーム留め部分９を一方の基板２ａ側から乗り越えることになる。その後は、折れ曲がり端部８ａは、アーム留め部分９を逆方向からは乗り越えることができないので、図３（ｂ）に示すように、アーム留め部分９に引っ掛かって保持されることになり、その結果として、二枚の基板２ａ、２ｂを、半リング部分３ａ、３ｂの閉鎖位置でロックすることができる。
【００２５】
一方、プレートロック手段７による基板２ａ、２ｂのロック状態を解除するには、図４（ａ）に矢印で示すように、基板２ａ、２ｂの相互を長手方向に相対変位させ、屈曲アーム部分８の折れ曲がり端部８ａとアーム留め部分９とを、相互に接触しない位置まで長手方向にずらすことにより行うことができる。その状態で基板２ａ、２ｂを回動変位させることにより、半リング部分３ａ、３ｂを開放位置へ移動させることができる。なお、基板２ａ、２ｂを相対変位させた後の、このような、半リング部分３ａ、３ｂの開放位置への、基板２ａ、２ｂの回動変位は、綴具１に綴じたルーズリーフ用紙ないし表紙の自重によって自然と生じることが確認されているも、かかる回動変位を補助するため、弾性部材に、後述するような、基板２ａ、２ｂの内側面を付勢する脚部２６ｂ、２６ｃを設けることも可能である。
【００２６】
ルーズリーフ綴具１を使用する使用者は一般に、半リング部分３ａ、３ｂの開閉操作を行うに当って、半リング部分３ａ、３ｂではなく、基板２ａ、２ｂの、たとえば長手方向端部の摘み部分２ｃ、２ｄを指等で摘まんで持つことになるところ、この発明では、半リング部分３ａ、３ｂの閉鎖位置で基板２ａ、２ｂを固定するためのロック手段を、半リング部分３ａ、３ｂ側ではなく、使用者が直接的に保持する基板２ａ、２ｂ側に設けたプレートロック手段７としたことにより、半リング部分の先端に設けたリングロック手段のみで固定する従来の綴具に比して、半リング部分３ａ、３ｂの閉鎖位置での基板２ａ、２ｂの固定及び固定解除の操作が極めて容易となって、操作性を大きく高めることができる。
【００２７】
ここで図示の実施形態では、プレートロック手段７の屈曲アーム部分８は、一方の基板２ａの表面Ｆの周辺領域から盛り上がらせて形成されて、図５に平面図で示すように、他方の基板２ｂ側に向けて基板２ａ、２ｂの長手方向に略垂直に延びる主要部、及び、その主要部に連続して主要部の延在方向に対して略直角に折れ曲って前記長手方向に沿って延びる、主要部より狭幅の折れ曲がり端部８ａで構成しているが、屈曲アーム部分８の形状は、かかる限定されるものではない。
【００２８】
またここで、他方の基板２ｂの表面Ｆで、アーム留め部分９の、上記ガイド傾斜面９ａを設けた前方側（一方の基板２ａ側）とは逆側の後方側には、プレートロック手段７による基板２ａ、２ｂの固定状態で、屈曲アーム部分８の折れ曲がり端部８ａが入り込んで配置される収納スペース１０を設けることが好ましい。これにより、基板２ａ、２ｂの固定状態をより安定的に維持することができるからである。
【００２９】
なお図示の綴具１では、図５（ａ）及び（ｂ）に示すように、他方の基板２ｂの表面Ｆで、一方の基板２ａ側に位置して長手方向に延びるアーム留め部分９の後方側に、アーム留め部分９に連続する隆起部１１を設け、そして、アーム留め部分９と隆起部１１とで区画される、他方の基板２ｂの表面領域を、上記の収納スペース１０としている。すなわち、ここでは、一方の基板２ａ側の屈曲アーム部分８と、他方の基板２ｂの、アーム留め部分９及び隆起部１１からなる部分との、いずれも平面視でＬ字状をなす二つのＬ型部分の嵌め合わせによって、基板２ａ、２ｂの相互を、半リング部分３ａ、３ｂの閉鎖位置で固定することとしている。
【００３０】
この場合、弾性部材６は、先述したように、二枚の基板２ａ、２ｂの相互を長手方向に沿って半リング部分２ａ、２ｂの相互を整列させる方向で、かつ、折れ曲がり端部８ａが収納スペース１０に入り込む方向に付勢するものとすることが好ましい。なおここで、プレートロック手段７による基板２ａ、２ｂの固定状態を解除するには、たとえば摘み部分２ｃ、２ｄを長手方向中央部に向けて押すことにより、弾性部材６の当該付勢力に抗して基板２ａ、２ｂを相対変位させることにより行うことが可能である。
【００３１】
またこの場合、プレートロック手段７の固定状態の解除を容易かつ確実に行い得るものとするため、図５に示すように、折れ曲がり端部８ａの、収納スペース１０への長手方向の入り込み長さＬｉは、同図に白抜き矢印で示すように、二枚の基板２ａ、２ｂの相互を最も大きく変位させた際の最大相対変位量Ｌｓよりも小さくする。
なお、アーム留め部分９の内縁部Ｅから頂部Ｔまでの幅Ｗｃは、屈曲アーム部分８の、基板２ａからの迫出し長さのうち、折れ曲がり端部８ａの部分を除いた長さＬｐよりも短くすることにより、屈曲アーム部分８の、アーム留め部分９に対する適切な乗り越え及び係合を実現することができる。
【００３２】
そしてまた、プレートロック手段７のアーム留め部分９は、図６に断面図で示すように、一方の基板２ａ側の部分の、基板２ｂの表面Ｆの周辺領域からの隆起高さを、一方の基板２ａから離れるに従って漸増させることで、そこに、基板表面Ｆに対して傾斜するガイド傾斜面９ａを有することが好ましい。
それにより、半リング部分３ａ、３ｂを閉鎖位置へ移動させるに際し、アーム留め部分９に接近した屈曲アーム部分８の折れ曲がり端部８ａが、アーム留め部分９を乗り越えるときに、アーム留め部分９の、一方の基板２ａ側に位置するガイド傾斜面９ａが、その上を滑動する折れ曲がり端部８ａの乗り越え動作を案内するので、プレートロック手段７による基板２ａ、２ｂの固定を、より円滑かつ容易に行うことが可能になる。
【００３３】
このガイド傾斜面９ａは、図示のような一の平坦面とすることができる他、図示は省略するが、屈曲アーム部分８側（図６では上方側）に凸状ないし、基板２ｂの表面Ｆ側（図６では下方側）に凹状の、一もしくは複数の曲面または、複数の平坦面とすることもできる。
また、ガイド傾斜面９ａの、基板２ｂの表面Ｆに対する傾き角度は、図６に示すような、基板２ａ、２ｂの長手方向に直交する断面視で、軸部４の中心軸線周りで回転運動するアーム留め部分９の内縁部Ｅの軌跡の、その内縁部Ｅにおける接線の同様の角度よりも大きくすることが好ましい。
【００３４】
この綴具１で好ましくは、一方および他方の基板２ａ、２ｂのそれぞれの表面Ｆで、上述したようなプレートロック手段７の配設箇所の周辺領域に、他の領域よりも一段窪んだ窪地領域Ａｒをそれぞれ設け、そして、それらの各窪地領域Ａｒに、屈曲アーム部分８およびアーム留め部分９のそれぞれを配置する。このことによれば、プレートロック手段７の、基板表面からの突出量を小さく抑えることができるので、綴具１の使用時に、それに綴じたルーズリーフ用紙の、プレートロック手段７との干渉等を防止することができる。
【００３５】
ところで、二枚の基板２ａ、２ｂの相互を長手方向に沿って付勢する上述した弾性部材６は、複数個設けることも可能であるが、ここでは一個を、図７に拡大正面図で示すように、基板２ａ、２ｂの長手方向の中央部分に配設している。
図７に示すこの弾性部材６としてのコイルばねは単に、自身の軸線方向の圧縮及び復元に基き、二枚の基板２ａ、２ｂの相互を長手方向に沿って付勢する機能だけを有するものである。なお、そのような付勢力により、半リング部分３ａ、３ｂの閉鎖位置で、屈曲アーム部分８をアーム留め部分９の後方側の収納スペース１０へ入り込ませて、プレートロック手段７による基板２ａ、２ｂのロック状態を確保することができる。
【００３６】
この一方で、上記の単なるコイルばねに代えて、図８に示すような、脚部２６ｂ、２６ｃ付きのコイルばねである弾性部材２６（いわゆるねじりコイルばね）を設けることもできる。この弾性部材２６は、より詳細には、図９（ａ）および（ｂ）に、綴具１から取り出して示すところから明らかなように、たとえば、螺旋状に巻回した金属製等の巻き線からなる本体部２６ａの、軸線方向の両端部に存在する巻始端及び巻終端のそれぞれを、コイル外周よりも半径方向外側に向けて直線状に延長させることにより、軸線方向の各端部に、それぞれの脚部２６ｂ、２６ｃを設けたものである。この場合、それぞれの脚部２６ｂ、２６ｃを、図８に示すように、各基板２ａ、２ｂの、半リング部分３ａ、３ｂの閉鎖位置で互いに近接して対向する内側面のそれぞれに設けた、基板表裏方向に延びる各溝部に当接させて配置することができる。これにより、脚部２６ｂ、２６ｃ付き弾性部材２６は、上述したような、基板２ａ、２ｂの相互を長手方向に沿って付勢する機能のみならず、脚部２６ｂ、２６ｃによって、半リング部分３ａ、３ｂを開放位置へ移動させるように、軸部４の周りの基板２ａ、２ｂの回動方向で、基板２ａ、２ｂを押し広げる方向に付勢するべくも機能することになる。
【００３７】
弾性部材２６のこのような構成により、半リング部分３ａ、３ｂの閉鎖位置から、図４（ａ）に示すように、基板２ａ、２ｂの相互を長手方向に沿って相対変位させる操作を行うだけで、弾性部材２６の脚部２６ｂ、２６ｃが基板２ａ、２ｂを内側面側から押し広げるべく付勢して、図４（ｂ）に示すように、基板２ａ、２ｂが、軸部４の周りで回動変位するとともに、半リング部分３ａ、３ｂが開いて開放位置へ自動的に移動することになる。それにより、半リング部分３ａ、３ｂを開く操作が極めて容易となる。半リング部分３ａ、３ｂを開放位置から閉鎖位置へ移動させるには、弾性部材２６の脚部２６ｂ、２６ｃの付勢力に抗して、基板２ａ、２ｂを軸部４の周りで回動変位させることにより行うことができる。
【００３８】
但し、脚部２６ｂ、２６ｃを有しない一般的な弾性部材６を設けた場合、上記の脚部２６ｂ、２６ｃ付きの弾性部材６のように基板２ａ、２ｂを強制的に押し広げることはできないものの、実際の綴具１の使用状態では、基板２ａ、２ｂの相互を長手方向に相対変位させて、プレートロック手段７のロック状態を解除するだけで、半リング部分３ａ、３ｂに綴じたルーズリーフ用紙や表紙等の自重によって、半リング部分３ａ、３ｂは開放位置へ自動的に移動することになる。脚部を有しない弾性部材６を用いる場合は、基板２ａ、２ｂの内側面に、脚部を位置決め配置するための、図８に示すような溝部を形成することが不要になるとともに、綴具１を製造する際の、各構成部材の組立てが容易になるという利点がある。
【００３９】
図示の実施形態では、弾性部材６を、それぞれの基板２ａ、２ｂに一体形成した各軸受け筒部５ａ、５ｂの相互間の間隙Ｇの一つに配置しているが、図示は省略するが、基板２ａ、２ｂの裏面Ｂ側に、軸受け筒部５ａ、５ｂとは異なる部分としてのばね受け部を設けて、そこに弾性部材６を配置することも可能である。
【００４０】
ところで、このような綴具１では、半リング部分３ａ、３ｂが、図１０（ａ）に示す閉鎖位置から、図１０（ｂ）に示す開放位置まで移動した際に、半リング部分３ａ、３ｂが最も大きく開いたその開放位置での、対をなす半リング部分３ａ、３ｂの開き角度θを、軸部４の中心軸線の周りで測って、９０°〜１８０°の範囲とすることが好ましい。開き角度θを、この範囲内とすることで、図示しないルーズリーフ用紙の、綴具１に対する着脱を、何の不自由もなしに行うことができるとともに、半リング部分の開放位置での、ルーズリーフ用紙の意図しない外れを有効に防止することができる。
【００４１】
なお、この発明では、図１及び２に示すように、基板２ａ、２ｂの長手方向の少なくとも一端側に、半リング部分３ａ、３ｂを開閉する際に使用者が狭持する摘み部分２ｃ、２ｄを設けることが好ましい。
【００４２】
より詳細には、図示の綴具１においては、それの一端部（ここでは下端部）では、図１に示すように、最も一端側（下端側）に位置する、一方の基板２ａ側の軸受け筒部５ａに、一端側の摘み部分２ｃを設け、また、綴具１の他端部（ここでは上端部）では、最も他端側（上端側）に位置する、他方の基板２ｂ側の軸受け筒部５ｂに、他端側の摘み部分２ｄを設けている。そして、最も一端側の軸受け筒部５ａは、図１（ｂ）に示すように、それに隣接する、他方の基板２ｂ側の軸受け筒部５ｂとの間に、所要の比較的大きな間隙Ｇを設けて配置されており、このことは、綴具１の他端側の、最も他端側の軸受け筒部５ｂについても同様である。
図１に示す構造によれば、半リング部分３ａ、３ｂが閉じた状態で、使用者が、それぞれの摘み部分２ｃ、２ｄを狭持するとともに、各摘み部分２ｃ、２ｄを、綴具１の長手方向の中央に向けて押すことで、最も一端側の、上記の大きな間隙Ｇが狭まる向きに基板２ａ、２ｂを相対変位させて、プレートロック手段７によるロック状態を解除することができる。
【００４３】
一方、図示は省略するが、使用者が、綴具１の両端部に設けた摘み部分２ｃ、２ｄを、綴具１の長手方向の外側に向けて引っ張ることで、間隙Ｇが広がる向きに基板２ａ、２ｂを相対変位させることによって、プレートロック手段７によるロック状態を解除されるように、軸受け筒部５ａの配設位置、間隙Ｇの大きさ等を設計変更することができる。
【００４４】
以上に述べたようなルーズリーフ綴具１によれば、上述したプレートロック手段７を設けたことにより、ルーズリーフ用紙を綴具１に綴じるための、半リング部分の閉鎖位置での基板２ａ、２ｂの固定を極めて容易に、かつ確実に行うことができるので、すぐれた操作性を実現することができ、しかも、半リング部分３ａ、３ｂの先端部の設計自由度を高めることができる。
【００４５】
なお上述した実施形態は、対をなす半リング部分３ａ、３ｂの先端部に、それらのそれぞれで、軸線方向の一方側と他方側の半部を互い違いに切り欠いて形成した切欠き部分のそれぞれが、半リング部分３ａ、３ｂの閉鎖位置で互いに整合することにより、それらの切欠き部分が接触するだけで係合することなしに、半リング部分３ａ、３ｂによるリング形状が形成されるものとしている。
但し、半リング部分３ａ、３ｂの先端部には、互いに接近したそれらの先端部を係合させる、図示しないリングロック手段を設けることも可能である。
【符号の説明】
【００４６】
１  ルーズリーフ綴具
２ａ、２ｂ  基板
２ｃ、２ｄ  摘み部分
３ａ、３ｂ  半リング部分
４  軸部
５ａ、５ｂ  軸受け筒部
６、２６  弾性部材
２６ａ  本体部
２６ｂ、２６ｃ  脚部
７  プレートロック手段
８  屈曲アーム部分
８ａ  折れ曲がり端部
９  アーム留め部分
９ａ  ガイド傾斜面
１０  収納スペース
１１  隆起部
Ａｒ  窪地領域
Ｆ  基板表面
Ｂ  基板裏面
Ｇ  間隙
Ｌｉ  折れ曲がり端部の、収納スペースへの入り込み長さ
Ｌｓ  基板の最大相対変位量
Ｌｐ  屈曲アーム部分８の、折れ曲がり端部８ａの部分を除く迫出し長さ
Ｗｃ  アーム留め部分の幅
Ｅ  アーム留め部分の内縁部
Ｔ  アーム留め部分の頂部
θ  半リング部分の開き角度
【図１】
2015030225.tif 000003
【図２】
2015030225.tif 000004
【図３】
2015030225.tif 000005
【図４】
2015030225.tif 000006
【図５】
2015030225.tif 000007
【図６】
2015030225.tif 000008
【図７】
2015030225.tif 000009
【図８】
2015030225.tif 000010
【図９】
2015030225.tif 000011
【図１０】
2015030225.tif 000012